(57)【要約】【課題】  廃棄物の分解を促進させて廃棄物の早期安定化を図るとともに、埋立区画への設置を容易にする。【解決手段】  廃棄物処分場の埋立区画４０に設けられて、大気側から空気を取り込んで廃棄物中に供給し、廃棄物から発生するガスを回収して大気中に放散させるための廃棄物処分場のガス処理システムであって、埋立区画４０の法面４１又は底面４２の少なくとも何れか一方に設置される少なくとも一つのガス流通管路１、３０を備える。ガス流通管路１、３０は、複数の空隙５を有する網目構造の管壁４を有する少なくとも１本のガス流通管２と、ガス流通管２を法面４１又は底面４２に固定する固定手段２０、３５とを備える。ガス流通管２の管壁４の空隙５を介して廃棄物中に十分な量の空気を供給し、廃棄物から発生する各種のガスを効率良く回収して大気側に放散させることができる。【選択図】        図２
2006247520.tif 000002
【特許請求の範囲】
【請求項１】
廃棄物処分場の埋立区画に設けられて、大気側から空気を取り込んで廃棄物中に供給し、廃棄物から発生するガスを回収して大気中に放散させるための廃棄物処分場のガス処理システムであって、
前記埋立区画の法面又は底面の少なくとも何れか一方に設置される少なくとも一つのガス流通管路を備え、
該ガス流通管路は、複数の空隙を有する網目構造の管壁を有する少なくとも１本のガス流通管と、該ガス流通管を前記法面又は前記底面に固定する固定手段とを備えていることを特徴とする廃棄物処分場のガス処理システム。
【請求項２】
前記ガス流通管の管壁は、開孔率が９５％以上の網目構造に形成されていることを特徴とする請求項１に記載の廃棄物処分場のガス処理システム。
【請求項３】
前記ガス流通管は、外形が多角形状に形成されていることを特徴とする請求項１又は２に記載の廃棄物処分場のガス処理システム。
【請求項４】
前記ガス流通管は、複数の単管を継ぎ手を介して接続することにより１本に形成されていることを特徴とする請求項１から３の何れかに記載の廃棄物処分場のガス処理システム。
【請求項５】
前記法面に設置されるガス流通管路のガス流通管を前記法面に固定する固定手段は、一部が前記ガス流通管側に固定されるとともに、一部が前記法面上に敷設される遮水シートに接着又は熱融着によって接合されるシート状の固定部材からなることを特徴とする請求項１から４の何れかに記載の廃棄物処分場のガス処理システム。
【請求項６】
前記固定部材の一部には、廃棄物の上方に張られる野鳥除けの水糸を支持する支持棒を取り付けるための取付部が設けられていることを特徴とする請求項５に記載の廃棄物処分場のガス処理システム。
【請求項７】
埋立区画の法面に設置されるガス流通管路のガス流通管と底面に立設されるガス流通管路のガス流通管とを相互に連通させるように構成したことを特徴とする請求項１から６の何れかに記載の廃棄物処分場のガス処理システム。
【発明の詳細な説明】
【技術分野】
【０００１】
本発明は、廃棄物処分場のガス処理システムに関し、特に、埋立区画に埋設した廃棄物から発生するガスを回収して大気中に放散させるとともに、大気側から空気を取り込んで廃棄物中に供給するための廃棄物処分場のガス処理システムに関する。
【背景技術】
【０００２】
一般に、廃棄物処分場においては、埋立区画に埋設した廃棄物中に大気側から空気を取り込んで廃棄物の分解を促進させ、廃棄物の分解時に発生する各種のガスを回収して大気中に放散させるため、各種のガス処理システムが設置されている。
【０００３】
例えば、埋立区画の法面及び底面に塩化ビニル、ポリエチレン等からなる有孔管を設置し、この有孔管を介して大気側から空気を取り込んで廃棄物中に供給し、廃棄物から発生するガスを回収して大気中に放散させるように構成したものが提案されている（例えば、特許文献１参照。）。
【０００４】
このような構成のガス処理システムにあっては、大気側から有孔管を介して空気を取り込んで廃棄物中に供給することにより、廃棄物の環境を嫌気性から好気性に変えてメタンガスや硫化水素などの危険なガスの発生を減らし、安全な炭酸ガスや水溶性イオンに変え、その安全なガスを有孔管を介して回収して大気中に放散させ、廃棄物の分解を促進させて、廃棄物の早期安定化を図っている。
【特許文献１】特開２０００−２３７５３１号公報
【発明の開示】
【発明が解決しようとする課題】
【０００５】
しかし、上記のような構成のガス処理システムにあっては、有孔管を介して廃棄物中に大気側から空気を供給し、廃棄物から各種のガスを回収して大気側に放散させているものの、有孔管の開孔率が２０％程度と非常に低いため、廃棄物の環境を好気性に変えるのに十分な量の空気を供給することができず、また、廃棄物から発生するガスを効率良く回収して大気中に放散させることができず、廃棄物の早期安定化を図ることが困難になる。
できない。
【０００６】
また、法面に有孔管を設置する場合に、砕石等によって有孔管を法面上に固定しているため、砕石等によって法面上に敷設されている遮水シートを傷つけたり、破損させたりすることがあり、遮水シートを保護する対策が必要になり、有孔管の法面への設置に非常に手間がかかってしまう。
【０００７】
本発明は、上記のような従来の問題に鑑みなされたものであって、大気側から空気を取り込んで、廃棄物中に十分な量の空気を効率良く供給することができるとともに、廃棄物から発生する各種のガスを効率良く回収して大気中に放散させることができて、廃棄物の早期安定化を実現することができ、さらに、法面への設置の際に、法面上に敷設されている遮水シートを傷つけたり、破損させたりするようなことがなく、法面への設置が容易な廃棄物処分場のガス処理システムを提供することを目的とするものである。
【課題を解決するための手段】
【０００８】
上記のような課題を解決するために、本発明は、以下のような手段を採用している。
すなわち、請求項１に係る発明は、廃棄物処分場の埋立区画に設けられて、大気側から空気を取り込んで廃棄物中に供給し、廃棄物から発生するガスを回収して大気中に放散させるための廃棄物処分場のガス処理システムであって、前記埋立区画の法面又は底面の少なくとも何れか一方に設置される少なくとも一つのガス流通管路を備え、該ガス流通管路は、複数の空隙を有する網目構造の管壁を有する少なくとも１本のガス流通管と、該ガス流通管を前記法面又は前記底面に固定する固定手段とを備えていることを特徴とする。
【０００９】
本発明による廃棄物処分場のガス処理システムによれば、埋立区画の法面又は底面の少なくとも何れか一方に設置される少なくとも一つのガス流通管路のガス流通管により、大気側から空気が取り込まれて廃棄物中に供給され、廃棄物から発生する各種のガスが回収されて廃棄物外に導かれて大気中に放散されることになる。この場合、ガス流通管の管壁は複数の空隙を有する網目構造に形成されているので、大気側から十分な量の空気を廃棄物中に供給でき、廃棄物から効率良く各種のガスを回収して大気側に放散させることができる。
【００１０】
請求項２に係る発明は、請求項１に記載の廃棄物処分場のガス処理システムであって、前記ガス流通管の管壁は、開孔率が９５％以上の網目構造に形成されていることを特徴とする。
【００１１】
本発明による廃棄物処分場のガス処理システムによれば、ガス流通管を介して大気側から空気を取り込み、管壁の空隙を介して廃棄物中に効率良く空気を供給することができるとともに、廃棄物から発生する各種のガスを管壁の空隙を介して効率良くガス流通管内に回収し、ガス流通管を介して大気側に放散させることができる。この場合、ガス流通管の管壁は、開孔率が９５％以上の網目構造に形成されているので、廃棄物を好気性環境に維持するのに十分な量の空気を廃棄物中に供給することができ、廃棄物の分解を促進させて早期安定化を実現することができる。
【００１２】
請求項３に係る発明は、請求項１又は２に記載の廃棄物処分場のガス処理システムであって、前記ガス流通管は、外形が多角形状に形成されていることを特徴とする。
【００１３】
本発明による廃棄物処分場のガス処理システムによれば、ガス流通管を法面上に設置する場合に、ガス流通管の据わりをよくすることができるので、ガス流通管の法面の所定の位置への位置決めが容易になるとともに、ガス流通管が所定の位置からずれるのを防止することができ、法面上の所定の位置にガス流通管を安定した状態で設置することができる。
【００１４】
請求項４に係る発明は、請求項１から３の何れかに記載の廃棄物処分場のガス処理システムであって、前記ガス流通管は、複数の単管を継ぎ手を介して接続することにより１本に形成されていることを特徴とする。
【００１５】
本発明による廃棄物処分場のガス処理システムによれば、埋立区画へのガス流通管の搬送が容易になるとともに、埋立区画の形状に応じて長さの異なる単管を組み合わせて１本のガス流通管に形成することができるので、各種の形状の埋立区画に対応することが可能となる。
【００１６】
請求項５に係る発明は、請求項１から４の何れかに記載の廃棄物処分場のガス処理システムであって、前記法面に設置されるガス流通管路のガス流通管を前記法面に固定する固定手段は、一部が前記ガス流通管側に固定されるとともに、一部が前記法面上に敷設される遮水シートに接着又は熱融着によって接合されるシート状の固定部材からなることを特徴とする。
【００１７】
本発明による廃棄物処分場のガス処理システムによれば、ガス流通管を法面に設置する場合に、ガス流通管を砕石等によって法面に固定する必要がないので、設置の際に遮水シートに傷をつけたり、破損させたりするようなことはなく、ガス流通管の法面への設置が容易となる。
【００１８】
請求項６に係る発明は、請求項５に記載の廃棄物処分場のガス処理システムであって、前記固定部材の一部には、廃棄物の上方に張られる野鳥除けの水糸を支持する支持棒を取り付けるための取付部が設けられていることを特徴とする。
【００１９】
本発明による廃棄物処分場のガス処理システムによれば、固定部材の一部の取付部に支持棒を取り付けることができるので、野鳥除け用の水糸を支持するために、埋立区画の周囲を囲むフェンス等を利用する必要がなくなり、見栄えをよくすることができる。さらに、水糸の複数箇所を支持棒で支持することができるので、水糸を安定した状態に支持することができる。
【００２０】
請求項７に係る発明は、請求項１から６の何れかに記載の廃棄物処分場のガス処理システムであって、埋立区画の法面に設置されるガス流通管路のガス流通管と底面に立設されるガス流通管路のガス流通管とを相互に連通させるように構成したことを特徴とする。
【００２１】
本発明による廃棄物処分場のガス処理システムによれば、法面に設置したガス流通管路のガス流通管と底面に立設したガス流通管路のガス流通管との協働により、大気側から廃棄物中に十分な量の空気を供給することができるとともに、廃棄物から発生する各種のガスを効率良く回収して大気中に放散させることができ、廃棄物の分解を促進させることができ、廃棄物の早期安定化を実現することができる。
【発明の効果】
【００２２】
以上、説明したように、本発明の廃棄物処分場のガス処理システムによれば、埋立区画の法面又は底面の少なくとも何れか一方に設置される、少なくとも一つのガス流通管のガス流通管を介して大気側から空気が廃棄物中に供給されるとともに、廃棄物から発生する各種のガスが回収されて大気側に放散されることになる。
この場合、ガス流通管の管壁は、複数の空隙を有する網目構造（例えば、開孔率が９５％以上の網目構造）に形成されているので、廃棄物の好気性環境を維持するのに十分な量の空気を廃棄物中に供給し、廃棄物から発生する各種のガスを効率良く回収することができる。従って、廃棄物の分解を促進させることができるので、廃棄物の早期安定化を実現することができる。
【００２３】
また、ガス流通管の外形を多角形状に形成することにより、法面上に設置する場合に、ガス流通管の据わりをよくすることができるので、ガス流通管の法面への設置が容易になり、施工性を高めることができる。
【００２４】
さらに、ガス流通管は、複数の単管を継ぎ手を介して接続することにより１本に形成されているので、埋立区画の搬送が容易になるとともに、埋立区画の形状に応じて長さの異なる単管を組み合わせることができるので、各種の形状の埋立区画に対応することが可能となり、汎用性を高めることができる。
【００２５】
さらに、ガス流通管を法面上に設置する場合に、ガス流通管に一部が固定される固定部材の他の一部を法面上に敷設されている遮水シートに接着又は熱融着によって接合することにより、ガス流通管を法面上に固定することができるので、ガス流通管の設置の際に遮水シートを傷つけたり、破損させたりするようなことがなく、ガス流通管の法面への設置が容易になる。
【００２６】
さらに、固定部材の取付部に水糸を張るための支持棒を取り付けることができるので、廃棄物の上方にカラス等の野鳥除け用の水糸を張る場合に、埋立区画の周囲を囲んでいるフェンス等を利用する必要がなくなり、見栄えをよくすることができるとともに、水糸の複数箇所を支持棒によって支持することができるので、水糸を安定した状態に支持することが可能となる。
【００２７】
さらに、法面に設置したガス流通管路のガス流通管と底面に設置したガス流通管路のガス流通管との協働により、大気側から廃棄物中に空気を供給し、廃棄物から発生する各種のガスを回収して大気側に放散させることができるので、廃棄物の分解をさらに促進させることができ、廃棄物の早期安定化を実現することができる。
【発明を実施するための最良の形態】
【００２８】
以下、図面に示す本発明の実施の形態について説明する。
図１〜図９には、本発明による廃棄物処分場のガス処理システムの一実施の形態が示されていて、図１は埋立区画の法面に設置したガス流通管路の説明図、図２は埋立区画の法面に設置したガス流通管路と底面に設置したガス流通管路との関係を示した説明図、図３は図１のガス流通管路の部分拡大説明図、図４は図３の部分断面図、図５は固定部材の平面図、図６は継ぎ手の斜視図、図７は支持棒に水糸を支持した状態を示した説明図、図８はガス流通管路の変形例を示した部分断面図、図９は図８の固定部材の平面図である。
【００２９】
すなわち、この廃棄物処分場のガス処理システムは、廃棄物処分場の埋立区画４０に埋設される廃棄物の分解を促進させ、廃棄物の早期安定化を図るために適用されるものであって、埋立区画４０の法面４１に設けられるガス流通管路１と底面４２に設けられるガス流通管路３０とを備えている。
【００３０】
法面４１に設けられるガス流通管路１は、図１〜図６に示すように、埋立区画４０の法面４１上に敷設される遮水シート４３の上部に、法面４１の傾斜に沿って、かつ周方向に所定の間隔ごとに設置される複数のガス流通管２と、各ガス流通管２を遮水シート４３上に固定する固定手段である固定部材２０とを備えている。
【００３１】
各ガス流通管路１は、法肩から法尻にかけて設置される少なくとも１本（この実施の形態では１本）のガス流通管２によって構成されている。ガス流通管２は、図３に示すように、中心部に軸線方向に貫通する断面円形状の流通路３が設けられる管状をなすものであって、流通路３内外を連通する複数の空隙５を有する網目構造の管壁４を有し、この管壁４の空隙５を介して廃棄物中に空気が供給され、廃棄物から発生する各種のガスが回収される。
【００３２】
ガス流通管２は、外形が四角形状、円形状等（この実施の形態においては四角形状）に形成される。ガス流通管２の外形を四角形状に形成した場合には、遮水シート４３の上部に安定した状態で設置することができる。
【００３３】
ガス流通管２としては、例えば、ミラクルアースドレーン（商品名、大和紡績株式会社）が有効である。ミラクルアースドレーンは、開孔率が９５％以上の網目構造の管壁４を有する合成樹脂製のガス流通管２であって、耐衝撃性が非常に高いため、廃棄物の重みによって潰れるようなことはなく、長期に渡って廃棄物への空気の供給、廃棄物からのガスの回収を行うことができる。なお、ガス流通管２は、上記のミラクルアースドレーンに限らず、同様の特性を有するものであればよい。
【００３４】
ガス流通管２は、図３及び図４に示すように、複数の単管６を繋ぎ合わせることにより１本のガス流通管２に形成され、隣接する単管６、６間は、継ぎ手１０を介して一体に接続される。
【００３５】
継ぎ手１０は、図６に示すように、合成樹脂から形成される筒状の本体部１１と、本体部１１の外周面の中央部に一体に設けられる環状のフランジ部１４とから構成され、このフランジ部１４によって本体部１１の外周面が一方の半部１２と他方の半部１３の２つに区画される。
【００３６】
継ぎ手１０の本体部１１の一方の半部１２を隣接する一方の単管６の流通路３内に挿入し、他方の半部１３を他方の単管６の流通路３内に挿入し、両単管６、６の端面がフランジ部１４の両面に当接するまで本体部１１の各半部１２、１３を各単管６の各流通路３内に挿入させることにより、隣接する単管６、６間が継ぎ手１０を介して一体に接続される。なお、隣接する単管６、６間を接着剤を介して一体に接合してもよい。
【００３７】
継ぎ手１０の本体部１１の一方の半部１２及び他方の半部１３の外周面は、両端部がそれぞれ両端に行くに従って順次小径となるテーパ面に形成され、このテーパ面によって本体部１１の一方の半部１２及び他方の半部１３の各単管６の流通路３内への挿入を容易にしている。また、本体部１１の一方の半部１２及び他方の半部１３の外周面には、抜け止め用の突起１５が複数箇所に一体に設けられ、この抜け止め用の突起１５を各単管６の内壁面に係止させることにより、継ぎ手１０が隣接する単管６、６間から抜けるのが防止される。
【００３８】
なお、継ぎ手１０は、上記のような構成のものに限らず、隣接する単管６、６間を接続できる構成のものであればよく、例えば、隣接する単管６、６の端部の外周面間に被嵌させるような構成のものであってもよい。
【００３９】
固定手段２０は、図５に示すように、合成樹脂、ゴム等かから形成されるシート状の固定部材２０であって、この固定部材２０によってガス流通管２が遮水シート４３の上部に固定される。
【００４０】
固定部材２０は、四角形状の取付部２１と、取付部２１の一辺側に一体に設けられるとともに、両端部が取付部２１よりも外方に突出する四角形状の接合部２３と、取付部２１の他辺側に一体に設けられる三角形状の支持部２５とから構成されている。
【００４１】
取付部２１の中心部には、継ぎ手１０を挿通させるための円形状の挿通孔２２が設けられ、この挿通孔２２内に継ぎ手１０の本体部１１の一方の半部１２又は他方の半部１３を挿通させ、本体部１１の一方の半部１２及び他方の半部１３を隣接する各単管６の各流通路３内に挿入し、継ぎ手１０のフランジ部１４に当接するまで両半部１２、１３を各単管６の流通路３内に挿入することにより、固定部材１０の取付部２１が隣接する単管６、６間に介装され、固定部材２０がガス流通管２に取り付けられる。
【００４２】
固定部材２０の接合部２３は、取付部２１に対して折り曲げ線２４から略直角に折り曲げられ、裏面側の全体又は少なくとも両端部が遮水シート４３の上部に接着剤による接着又は熱融着によって一体に接合され、これにより、ガス流通管２が遮水シート４３の上部に固定される。
【００４３】
固定部材２０の支持部２５の先端部には、図５に示すように、表裏面間を貫通する取付孔２６が設けられ、図７に示すように、この取付孔２６を介して支持部２５に支持棒２７が取り付けられ、この支持棒２７によって廃棄物の上方にカラス等の野鳥除け用の水糸２８が略水平に張られる。なお、支持部２５は、必要に応じて設ければよく、カラス等の野鳥除けの対策が不要な場合には設ける必要はない。
【００４４】
固定部材２０は、ガス流通管路１を２本のガス流通管２によって構成する場合には、取付部２１に２つの挿通孔２２を設け、各挿通孔２２内に各ガス流通管２の隣接する単管６、６間を接続するための継ぎ手１０を挿通させる。
【００４５】
また、ガス流通管路１を３本のガス流通管２によって構成する場合には、図８及び図９に示すように、取付部２１に３つの挿通孔２２を設け、各挿通孔２２内に各ガス流通管２の隣接する単管６、６間を接続するための継ぎ手１０を挿通させる。
【００４６】
さらに、ガス流通管路１を４本以上のガス流通管２によって構成する場合には、取付部２１に４つ以上の挿通孔２２を設け、各挿通孔２２内に各ガス流通管２の隣接する単管６、６間を接続するための継ぎ手１０を挿通させる。このように、固定部材２０の取付部２１を隣接する単管６、６間に介装させることにより、複数のガス流通管２を束ねた状態で遮水シート４３の上部に固定することができる。
【００４７】
埋立区画４０の底面４２に設置されるガス流通管路３０は、図２に示すように、埋立区画４０の底面４２の複数箇所に垂直に立設され、各ガス流通管路３０は、少なくとも１本（この実施の形態では４本）のガス流通管２によって構成されている。
【００４８】
各ガス流通管路１を構成する各ガス流通管２は、法面４１の各ガス流通管路１の各ガス流通管２と同様の構成を有し、複数の単管６、６を継ぎ手１０を介して繋ぎ合わせることにより１本に形成されている。
【００４９】
各ガス流通管２の隣接する単管６、６間には、法面４１のガス流通管２とほぼ同様の構成の固定部材２０が取り付けられ、この固定部材２０によって４本のガス流通管２が束ねられた状態に固定されている。すなわち、この固定部材２０は、隣接する単管６、６間に介装される取付部２１に４つの挿通孔２２が設けられ、各挿通孔２２内を隣接する単管６、６間を接続する継ぎ手１０の本体部１１がそれぞれ挿通し、各継ぎ手１０の本体部１１の両半部１２、１３が各単管６の流通路３内に挿入されている。この場合、ガス流通管２を遮水シート４３に接合する必要がないので、固定部材２０に接合部２３を設ける必要はない。
【００５０】
各ガス流通管路３０を埋立区画４０の底面４２上に垂直に固定する固定手段３５は、各ガス流通管路３０の周囲に各ガス流通管路３０を囲むように立設される金網３６と、この金網３６の内側の部分に充填される砕石等の充填材３７とから構成され、この充填材３７により各ガス流通管路３０を構成する４本のガス流通管２が垂直に固定されている。
【００５１】
この場合、埋立区画４０の底面４２の遮水シート４３の上部には、遮水シート４３を保護するために覆土３８が所定の厚みで設けられ、この覆土３８の上部に各ガス流通管路２、及び固定手段３５の金網３６、砕石等の充填材３７を設置することにより、遮水シート４３が傷ついたり、破損等するのを防止している。
【００５２】
埋立区画４０の法面４１の各ガス流通管路１と底面４２の各ガス流通路３０とは、法面４１の各ガス流通管路１を法尻から底面４２の所定の位置まで延出させ、その延出させた先端部を底面４２に設置されている各ガス流通管路３０と相互に連通させてもよい。なお、埋立区画４０の底面４２には、必要に応じてガス流通管路３０を設ければよい。
【００５３】
そして、上記のように埋立区画４０の法面４１に複数のガス流通管路１を設け、底面４２に必要に応じて複数のガス流通管路３０を設けることにより、各ガス流通管路１、３０を介して埋立区画４０に埋設した廃棄物中に大気側から空気を供給することができるとともに、廃棄物から発生する各種のガスを回収して大気側に放散させることができる。
【００５４】
この場合、各ガス流通管路１、３０を構成するガス流通管２は、開孔率が９５％以上の網目構造の管壁４を有しているので、この管壁４の空隙５を介して十分な量の空気を廃棄物中に供給することができるとともに、廃棄物から発生する各種のガスを効率よく回収して、大気側に放散させることができる。従って、廃棄物を好気性環境に維持することができるので、廃棄物の分解を促進させることができ、廃棄物を早期に安定化させることができる。
【００５５】
また、法面４１のガス流通管路１を構成するガス流通管２は、固定部材２０を介して法面４１の遮水シート４３の上部に固定されており、この場合、固定部材２０を接着剤による接着又は熱融着によって遮水シート４３側に接合することにより、ガス流通管２を遮水シート４３の上部に固定しているので、砕石等を用いて固定した場合のように、砕石等によって遮水シート４３を傷を付けたり、破損させたりする虞が全くなく、ガス流通管２の設置が容易になる。
【００５６】
さらに、各ガス流通管２は、固定部材２０によって遮水シート４３の上部に固定されているので、風雨に晒されても各ガス流通管２が所定の位置からずれるようなことはなく、埋立区画４０に廃棄物を充満させるまでの間の各ガス流通管２の管理が容易になる。
【００５７】
さらに、固定部材２０の支持部２５を利用して支持棒２７を取り付けることができるので、廃棄物の上方にカラス等の野鳥除け用の水糸２８を張る場合に、埋立区画４０の周囲に設けられているフェンス等を利用する必要がなく、見栄えをよくすることができる。また、支持棒２７の数を増やすことにより、水糸２８を密に安定して支持することができるので、廃棄物をカラス等の野鳥から確実に保護することができる。
【００５８】
なお、前記の説明においては、ガス流通管路１、３０を廃棄物に大気側から空気を供給し、廃棄物から発生するガスを回収して大気側に放散させるために利用したが、ガス流通管路１、３０の各ガス流通管２の内部にゼオライト、活性炭、シリカゲル、アルミナ等を充填し、廃棄物から浸出する浸出水を回収する管路として使用してもよい。
【図面の簡単な説明】
【００５９】
【図１】本発明による廃棄物処分場のガス処理システムの一実施の形態を示した概略図であって、埋立区画の法面に設置したガス流通管路の説明図である。
【図２】埋立区画の法面に設置したガス流通管路と底面に設置したガス流通管路との関係を示した説明図である。
【図３】図１のガス流通管路の部分拡大説明図である。
【図４】図３の部分断面図である。
【図５】図１の固定部材の平面図である。
【図６】図１の継ぎ手の斜視図である。
【図７】固定部材に支持棒を取り付け、支持棒で水糸を支持した状態を示した説明図である。
【図８】ガス流通管路の変形例を示した部分断面図である。
【図９】図８の固定部材の平面図である。
【符号の説明】
【００６０】
１  ガス流通管路            ２  ガス流通管
３  流通路                  ４  管壁
５  空隙                    ６  単管
１０  継ぎ手                １１  本体部
１２  一方の半部            １３  他方の半部
１４  フランジ部            １５  突起
２０  固定手段（固定部材）  ２１  取付部
２２  挿通孔                ２３  接合部
２４  折り曲げ線            ２５  支持部
２６  取付孔                ２７  支持棒
２８  水糸                  ３０  ガス流通管路
３５  固定手段              ３６  金網
３７  充填材                ３８  覆土
４０  埋立区画              ４１  法面
【図１】
2006247520.tif 000003
【図２】
2006247520.tif 000004
【図３】
2006247520.tif 000005
【図４】
2006247520.tif 000006
【図５】
2006247520.tif 000007
【図６】
2006247520.tif 000008
【図７】
2006247520.tif 000009
【図８】
2006247520.tif 000010
【図９】
2006247520.tif 000011